(57)【要約】【課題】肩の移動（スイングプレーン）によって正しい腕の振り方をゴルフボール１４を打ち乍ら容易に習得することができ、しかも従来に比べて外形を小さくして容易に取扱うことができる。【解決手段】肩幅と略等しい大きさの直径を有するリング体１と、リング体１を肩の上側で首の周辺に支持させる係止体１０とを設けることを特徴とするゴルフスイング練習具。【選択図】        図５
2005013328.tif 000002
【特許請求の範囲】
【請求項１】
肩幅と略等しい大きさの直径を有するリング体と、リング体を肩の上側で首の周辺に支持させる係止体とを設けることを特徴とするゴルフスイング練習具。
【請求項２】
帽子または上着の後側に係止させるクリップと、リング体を挟むクリップを係止体に備え、係止体を用いてリング体を空中に浮遊状態に支持させることを特徴とする請求項１に記載のゴルフスイング練習具。
【請求項３】
非変形硬質のパイプによってリング体を形成することを特徴とする請求項１に記載のゴルフスイング練習具。
【発明の詳細な説明】
【０００１】
【発明の属する技術分野】
本発明は例えばウッドなどのゴルフクラブを振る練習を行うゴルフスイング練習具に関する。
【０００２】
【従来の技術】
従来、適正なゴルフスイングになるように姿勢を矯正する器具がある。（例えば特許文献１参照）
【０００３】
【特許文献１】特開平１０−４３３４５号公報
【０００４】
【発明が解決しようとする課題】
前記従来技術は、上半身を囲むように形成したフレームを腰に装着させ、ゴルフクラブのグリップの軌道を形成するフレームを設けるから、装着が面倒で外形が大きくなる不具合がある等の取扱い上の問題がある。
【０００５】
【課題を解決するための手段】
然るに、本発明は、請求項１の如く、肩幅と略等しい大きさの直径を有するリング体と、リング体を肩の上側で首の周辺に支持させる係止体とを設けるもので、スイング軸を想定してスイング軸を中心とした円運動になるようにリング体に沿わせて肩を移動させることにより、スイング動作（スイングプレーン）が適正であるか否かをチェックし得、適正な肩の移動（スイングプレーン）によって正しい腕の振り方をゴルフボールを打ち乍ら容易に習得し得、しかも従来に比べて外形を小さくして容易に取扱い得るものである。
【０００６】
また、請求項２の如く、帽子または上着の後側に係止されるクリップと、リング体を挟むクリップとを係止体に備え、係止体を用いてリング体を空中に浮遊状態に支持させるもので、帽子または上着の襟の後側に前記クリップを用いてリング体を止めることにより、ゴルフ練習場などで実際にゴルフボールを打ち乍らスイング動作のチェックを行い得、スイング軸の想定並びにスイング動作の練習を容易に行い得るものである。なお、クリップの挾持力を考慮した場合、前記リング体は約５０〜１００グラムの重さが望ましい。
【０００７】
また、請求項３の如く、非変形硬質のパイプによってリング体を形成するもので、想定するスイング軸とリング体の相対位置を適正に維持可能な重さ（約５０〜１００グラム）にリング体を形成し得、かつ肩幅などに対して必要な大きさの輪にリング体を形成し得、正しいスイング動作（スイングプレーン）のチェックが可能な大きさ及び重さにリング体を容易に構成し得るものである。
【０００８】
【発明の実施の形態】
以下、本発明の実施例を図面に基づいて詳述する。図１はスイング軸をイメージする姿勢の側面図、図２は同正面図、図３はバックスイングの正面図、図４は装着を示す側面図、図５は同平面図であり、約１５ミリメートルの太さの中空の合成樹脂製パイプで無端形の略真円にリング体１を形成し、左右の肩の位置を示す左右の肩マーク２・３と、目線方向を示す目線マーク４と、フック及びスライス姿勢を示すフック及びスライスマーク５・６とを、リング体１に形成する。
【０００９】
また、柱状体７の両端にクリップ８・９を設けて係止体１０を構成し、一方のクリップ８によってリング体１のフックマーク５とスライスマーク６の略中間を挾持させ、もう一方のクリップ９によって帽子１１の略真後の縁を挟み、帽子１１を被ったとき、リング体１の中に首を入れ、両肩の上側と顔の前側で空中に浮遊する状態にリング体１を装着するもので、図１及び図２のように、ゴルフクラブ１２を握ってティー１３上のゴルフボール１４に目線とゴルフクラブ１２を合わせることにより、両肩が左右の肩マーク２・３の位置となり、かつ目線マーク４とゴルフボール１４が略一直線上で目視され、身体のスイング軸が想定されると共に、図１及び図２の姿勢で腰を水平回転させることにより、図３のように、身体の前側に移動する側の肩（図２の左肩）を目線マーク４に移動させ、腕を振り上げてバックスイング動作を行う。次いで、肩をリング体１に沿わせて移動させてダウンスイング動作を行ってゴルフボール１４を打つもので、両足と顔を、バックスイング動作の前とダウンスイングによってゴルフボール１４を打つまで略同じ向きに保ち、ゴルフボール１４を打った後で、ダウンスイング動作後の姿勢になって打球方向を確認する。
【００１０】
上記から明らかなように、肩幅と略等しい大きさの直径を有するリング体１と、リング体１を肩の上側で首の周辺に支持させる係止体１０とを設け、スイング軸を想定してスイング軸を中心とした円運動になるようにリング体１に沿わせて肩を移動させ、スイング動作（スイングプレーン）が適正であるか否かをチェックし、適正な肩の移動（スイングプレーン）によって正しい腕の振り方をゴルフボール１４を打ち乍ら容易に習得し、しかも従来に比べて外形を小さくして容易に取扱える。
【００１１】
また、帽子１１または上着の後側に係止させるクリップ９と、リング体１を挟むクリップ８とを係止体１０に備え、係止体１０を用いてリング体１を空中に浮遊状態に支持させ、帽子１１の後側に前記クリップ９を用いてリング体１を止めることにより、ゴルフ練習場などで実際にゴルフボール１４を打ち乍らスイング動作のチェックを行い、スイング軸の想定並びにスイング動作の練習を行う。なお、クリップ８・９の挾持力などを考慮した場合、前記リング体１は約５０〜１００グラムの重さが望ましい。また、帽子１１に代え、上着の襟にクリップ９を止めてリング体１を浮遊状態に支持してもよい。
【００１２】
また、非変形硬質のパイプによってリング体１を形成し、想定するスイング軸とリング体１の相対位置を適正に維持可能な重さ（約５０〜１００グラム）にリング体１を形成し、かつ肩幅などに対して必要な大きさの輪にリング体１を形成し、正しいスイング動作（スイングプレーン）のチェックが可能な大きさ及び重さにリング体１を構成する。なお、成人男子用、女子用、子供用として、大きさ（直径）及び重さの異なるリング体１を形成することは云うまでもない。
【００１３】
また、図５のように、フックマーク５とスライスマーク６の略中間のリング体１をクリップ８で挾持した状態で、打球方向がスライスする人は、クリップ８をフックマーク５側に移動させることにより、スライス打球が矯正される一方、打球方向がフックする人は、クリップ８をスライスマーク６側に移動させることにより、フック打球が矯正される。
【００１４】
さらに、図６に示す如く、リング体１のパイプ中空部に着色ボール１５を転動自在に封入させ、リング体１を透明なパイプによって形成することにより、目線マーク４と着色ボール１５の相対位置を目視し、図１及び図２の姿勢のときに頭の向きをチェックし乍ら、図３のバックスイング動作とダウンスイング動作を行える。
【００１５】
さらに、図７のように、スペアのリング体１にクリップ８と柱状体７を用いて旗１６を目印に立てることにより、アプローチの練習のマークとしてリング体１を使用することも行える。
【００１６】
さらに、図８のように、リング体１を片方が半円形になるように２分割して複数の円弧リング１７に分割形成し、各円弧リング１７を着脱自在な嵌合突起１８によって分離自在に連結してリング体１を構成し、リング体１の包装に比べ、円弧リング１７に分割したときの袋を小さくして包装することができ、かつコンパクトに持ち運ぶことができると共に、図９のように、前記嵌合突起１８に代え、折曲げ及び出入自在な間接リンク１９によって複数の円弧リング１７を折畳み及び展開自在に連結させることにより、例えば２分割によってリング体１を半円形に折畳んで包装及び持運びなどが行えると共に、リング体１を円形に展開して練習に用いることが行える。
【００１７】
【発明の効果】
以上実施例から明らかなように本発明は、請求項１の如く、肩幅と略等しい大きさの直径を有するリング体１と、リング体１を肩の上側で首の周辺に支持させる係止体１０とを設けるもので、スイング軸を想定してスイング軸を中心とした円運動になるようにリング体１に沿わせて肩を移動させることにより、スイング動作（スイングプレーン）が適正であるか否かをチェックすることができ、適正な肩の移動（スイングプレーン）によって正しい腕の振り方をゴルフボール１４を打ち乍ら容易に習得することができ、しかも従来に比べて外形を小さくして容易に取扱うことができるものである。
【００１８】
また、請求項２の如く、帽子１１または上着の後側に係止させるクリップ９と、リング体１を挟むクリップ８を係止体１０に備え、係止体１０を用いてリング体１を空中に浮遊状態に支持させるもので、帽子１１または上着の襟の後側に前記クリップ９を用いてリング体１を止めることにより、ゴルフ練習場などで実際にゴルフボール１４を打ち乍らスイング動作のチェックを行うことができ、スイング軸の想定並びにスイング動作の練習を容易に行うことができるものである。
【００１９】
また、請求項３の如く、非変形硬質のパイプによってリング体１を形成するもので、想定するスイング軸とリング体１の相対位置を適正に維持可能な重さ（約５０〜１００グラム）にリング体１を形成でき、かつ肩幅などに対して必要な大きさの輪にリング体１を形成でき、正しいスイング動作（スイングプレーン）のチェックが可能な大きさ及び重さにリング体１を容易に構成できるものである。
【図面の簡単な説明】
【図１】スイング軸をイメージする姿勢の側面図。
【図２】同正面図。
【図３】バックスイングの正面図。
【図４】装着を示す側面図。
【図５】同平面図。
【図６】変形例を示す平面図。
【図７】他の使用例を示す側面斜視図。
【図８】変形例を示す平面図。
【図９】変形例を示す側面図。
【符号の説明】
１    リング体
８・９  クリップ
１０  係止体
１１  帽子
【図１】
2005013328.tif 000003
【図２】
2005013328.tif 000004
【図３】
2005013328.tif 000005
【図４】
2005013328.tif 000006
【図５】
2005013328.tif 000007
【図６】
2005013328.tif 000008
【図７】
2005013328.tif 000009
【図８】
2005013328.tif 000010
【図９】
2005013328.tif 000011